(57)【特許請求の範囲】
【請求項１】
指針により時刻を示す時計表示部を有する時計と、電子機器とを備える時刻補正システムであって、
前記電子機器は、
前記時計にデータを送信する送信部と、
前記時計の前記指針が指示する位置の入力を受け付ける入力部と、
前記入力部が入力を受け付けた位置と所定の基準位置とに基づいて、前記時計の前記指針が指示する位置を補正するための針位置補正量を算出する補正量算出部と、
前記補正量算出部が算出した針位置補正量を前記送信部から送信する補正量送信部と、
を備え、
前記時計は、
前記電子機器からデータを受信する受信部と、
前記指針を前記基準位置に移動させる移動制御部と、
前記受信部が前記針位置補正量を受信すると、当該受信した針位置補正量に基づいて前記指針が指示する位置を補正する補正制御部と、
を備えることを特徴とする時刻補正システム。
【請求項２】
前記時計の前記時計表示部は、日付を示す日付部をさらに備え、
前記時計の前記移動制御部は、前記日付部が示す日付を所定の基準位置まで移動させ、
前記電子機器の前記入力部は、前記時計の前記日付部が示す日付の入力をさらに受け付け、
前記電子機器の前記補正量算出部は、前記入力部に入力された日付と前記基準位置とに基づいて、前記日付部が示す日付を補正するための日車位置補正量をさらに算出し、
前記電子機器の前記補正量送信部は、前記補正量算出部が算出した日車位置補正量を送信し、
前記時計の前記補正制御部は、前記受信部が前記日車位置補正量を受信すると、当該受信した日車位置補正量に基づいて前記日付部が示す日付を補正する
ことを特徴とする請求項１に記載の時刻補正システム。
【請求項３】
前記電子機器は、
表示部と、
前記時計表示部の画像を前記表示部に表示させる表示制御部と、
を備え、
前記入力部は、前記表示部に表示された画像において入力を受け付ける
ことを特徴とする請求項１または２に記載の時刻補正システム。
【請求項４】
前記電子機器は、前記指針を前記基準位置へ移動させる移動指示を前記送信部から送信する移動指示送信部を備え、
前記移動制御部は、前記受信部が前記移動指示を受信すると、前記指針を前記基準位置に移動させる
ことを特徴とする請求項１から３いずれか１項に記載の時刻補正システム。
【請求項５】
指針により時刻を示す時計表示部を有する時計と、電子機器とを備える時刻補正システムにおける前記電子機器であって、
前記時計にデータを送信する送信部と、
前記時計の前記指針が指示する位置の入力を受け付ける入力部と、
前記入力部が入力を受け付けた位置と所定の基準位置とに基づいて、前記時計の前記指針が指示する位置を補正するための針位置補正量を算出する補正量算出部と、
前記補正量算出部が算出した針位置補正量を前記送信部から送信する補正量送信部と、
を備えることを特徴とする電子機器。
【請求項６】
指針により時刻を示す時計表示部を有する時計と、電子機器とを備える時刻補正システムにおける前記時計であって、
前記電子機器からデータを受信する受信部と、
前記指針を所定の基準位置に移動させる移動制御部と、
前記指針が指示する位置を補正するための針位置補正量を前記受信部が受信すると、当該受信した針位置補正量に基づいて前記指針が指示する位置を補正する補正制御部と、
を備えることを特徴とする時計。
【請求項７】
指針により時刻を示す時計表示部を有する時計と、電子機器とを備える時刻補正システムにおける前記電子機器としてのコンピュータに、
前記時計の前記指針が指示する位置の入力を受け付ける入力ステップと、
前記入力ステップが入力を受け付けた位置と所定の基準位置とに基づいて前記時計の前記指針が指示する位置を補正するための針位置補正量を算出する補正量算出ステップと、
前記補正量算出ステップが算出した針位置補正量を前記時計に送信する補正量送信ステップと、
を実行させるためのプログラム。
【発明の詳細な説明】
【技術分野】
【０００１】
本発明は、時刻補正システム、電子機器、時計及びプログラムに関する。
【背景技術】
【０００２】
従来より、外部機器で時計の指示時刻を入力し、その時計の指示時刻と現在時刻を用いて、時計の指針の位置を正しい位置にする技術がある（例えば、特許文献１参照）。特許文献１に記載の技術は、時計が指示している指示時刻と正しい現在時刻とをデータとして送り、針位置検出機構を持たなくても、アナログ時計の指示を正しい時刻に補正できる方法である。
【先行技術文献】
【特許文献】
【０００３】
【特許文献１】特許第４２００８３５号公報
【発明の概要】
【発明が解決しようとする課題】
【０００４】
しかしながら、特許文献１に記載された技術では、単に時刻を合わせたい場合には、都度、指示時刻を入力する作業が手間である。なお、時計が針位置を管理できていれば、時刻データを受信するだけで所定の時刻にすることができる。しかしながら、初期状態、及び落下等による衝撃が時計に加わると、指針の位置が動き、時計が管理している位置をずれてしまうことがある。針位置検出機構を内蔵すれば、指針の位置ずれは検知することができるが、部品数が増加してしまう。また、日車、小針等が搭載されている時計だと、更に位置検出機構の部品点数が増大してしまう。
【０００５】
そこで、本発明は上述の事情を鑑みてなされたものであり、時計が表示する時刻を正しい時刻に補正することができる時刻補正システム、電子機器、時計及びプログラムを提供することを目的とする。
【課題を解決するための手段】
【０００６】
本発明の幾つかの態様は、指針により時刻を示す時計表示部を有する時計と、電子機器とを備える時刻補正システムであって、前記電子機器は、前記時計にデータを送信する送信部と、前記時計の前記指針が指示する位置の入力を受け付ける入力部と、前記入力部が入力を受け付けた位置と所定の基準位置とに基づいて、前記時計の前記指針が指示する位置を補正するための針位置補正量を算出する補正量算出部と、前記補正量算出部が算出した針位置補正量を前記送信部から送信する補正量送信部と、を備え、前記時計は、前記電子機器からデータを受信する受信部と、前記指針を前記基準位置に移動させる移動制御部と、前記受信部が前記針位置補正量を受信すると、当該受信した針位置補正量に基づいて前記指針が指示する位置を補正する補正制御部と、を備えることを特徴とする時刻補正システムである。
【０００７】
また、本発明の他の態様の時刻補正システムにおいて、前記時計の前記時計表示部は、日付を示す日付部をさらに備え、前記時計の前記移動制御部は、前記日付部が示す日付を所定の基準位置まで移動させ、前記電子機器の前記入力部は、前記時計の前記日付部が示す日付の入力をさらに受け付け、前記電子機器の前記補正量算出部は、前記入力部に入力された日付と前記基準位置とに基づいて、前記日付部が示す日付を補正するための日車位置補正量をさらに算出し、前記電子機器の前記補正量送信部は、前記補正量算出部が算出した日車位置補正量を送信し、前記時計の前記補正制御部は、前記受信部が前記日車位置補正量を受信すると、当該受信した日車位置補正量に基づいて前記日付部が示す日付を補正することを特徴とする。
【０００８】
また、本発明の他の態様の時刻補正システムにおいて、前記電子機器は、表示部と、前記時計表示部の画像を前記表示部に表示させる表示制御部と、を備え、前記入力部は、前記表示部に表示された画像において入力を受け付けることを特徴とする。
【０００９】
また、本発明の他の態様の時刻補正システムにおいて、前記電子機器は、前記指針を前記基準位置へ移動させる移動指示を前記送信部から送信する移動指示送信部を備え、前記移動制御部は、前記受信部が前記移動指示を受信すると、前記指針を前記基準位置に移動させることを特徴とする。
【００１０】
また、本発明の他の態様は、指針により時刻を示す時計表示部を有する時計と、電子機器とを備える時刻補正システムにおける前記電子機器であって、前記時計にデータを送信する送信部と、前記時計の前記指針が指示する位置の入力を受け付ける入力部と、前記入力部が入力を受け付けた位置と所定の基準位置とに基づいて、前記時計の前記指針が指示する位置を補正するための針位置補正量を算出する補正量算出部と、前記補正量算出部が算出した針位置補正量を前記送信部から送信する補正量送信部と、を備えることを特徴とする電子機器である。
【００１１】
また、本発明の他の態様は、指針により時刻を示す時計表示部を有する時計と、電子機器とを備える時刻補正システムにおける前記時計であって、前記電子機器からデータを受信する受信部と、前記指針を所定の基準位置に移動させる移動制御部と、前記指針が指示する位置を補正するための針位置補正量を前記受信部が受信すると、当該受信した針位置補正量に基づいて前記指針が指示する位置を補正する補正制御部と、を備えることを特徴とする時計である。
【００１２】
また、本発明の他の態様は、指針により時刻を示す時計表示部を有する時計と、電子機器とを備える時刻補正システムにおける前記電子機器としてのコンピュータに、前記時計の前記指針が指示する位置の入力を受け付ける入力ステップと、前記入力ステップが入力を受け付けた位置と所定の基準位置とに基づいて前記時計の前記指針が指示する位置を補正するための針位置補正量を算出する補正量算出ステップと、前記補正量算出ステップが算出した針位置補正量を前記時計に送信する補正量送信ステップと、を実行させるためのプログラムである。
【発明の効果】
【００１３】
本発明の幾つかの態様によれば、電子機器は、時計にデータを送信する送信部と、時計の指針が指示する位置の入力を受け付ける入力部と、入力部が入力を受け付けた位置と所定の基準位置とに基づいて時計の指針が指示する位置を補正するための針位置補正量を算出する補正量算出部と、補正量算出部が算出した針位置補正量を前記送信部から送信する補正量送信部と、を備える。また、時計は、電子機器からデータを受信する受信部と、指針を基準位置に移動させる移動制御部と、受信部が針位置補正量を受信すると、受信した針位置補正量に基づいて指針が指示する位置を補正する補正制御部と、を備える。これにより、時計が表示する時刻を正しい時刻に補正することができる。
【図面の簡単な説明】
【００１４】
【図１】本発明の第１の実施形態による時刻補正システムの構成を示した概略図である。
【図２】第１の本実施形態による電子機器の表示部が表示する入力画面の一例を示すイメージ図である。
【図３】第１の実施形態による電子機器が実行する時刻補正処理の処理手順を示したフローチャートである。
【図４】第１の実施形態による電子時計が実行する移動処理の処理手順を示したフローチャートである。
【図５】第１の実施形態による電子時計が実行する時刻補正処理の処理手順を示したフローチャートである。
【図６】本発明の第２の実施形態による電子機器の表示部が表示する入力画面の一例を示すイメージ図である。
【図７】第２の実施形態による電子機器が実行する時刻補正処理の処理手順を示したフローチャートである。
【図８】第２の実施形態による電子時計が実行する移動処理の処理手順を示したフローチャートである。
【図９】第２の実施形態による電子時計が実行する時刻補正処理の処理手順を示したフローチャートである。
【図１０】本発明の第３の実施形態による電子機器の表示部が表示する入力画面の一例を示すイメージ図である。
【図１１】本発明の第４の実施形態による電子機器の表示部が表示する入力画面の一例を示すイメージ図である。
【図１２】第４の実施形態による電子機器の補正量算出部における日車位置補正量算出方法を説明するための図である。
【発明を実施するための形態】
【００１５】
以下、本発明の実施形態について、図面を参照しながら説明する。なお、各図において同一部分には同一符号を付している。
【００１６】
［第１の実施形態］
まず、本発明の第１の実施形態について説明する。図１は、本実施形態による時刻補正システム１の構成を示した概略図である。図示する例では、時刻補正システム１は、電子機器１０と電子時計２０とを含んでいる。電子機器１０は、例えば、スマートフォンや、携帯電話機や、タブレット端末等の電子機器である。図示する例では、電子機器１０は、時刻データ取得部１０１と、制御部１０２と、光源１０３と、表示部１０４と、入力部１０５とを備えている。
【００１７】
時刻データ取得部１０１は、現在日時（現在時刻（時分秒）及び現在日付（年月日））を取得する。例えば、時刻データ取得部１０１は、インターネット上の時刻サーバにアクセスして現在日時を取得する方法や、ＧＰＳ（Ｇｌｏｂａｌ  Ｐｏｓｉｔｉｏｎｉｎｇ  Ｓｙｓｔｅｍ）を用いて現在日時を取得する方法や、基地局からの制御信号から現在日時を取得する方法を用いる。なお、現在日時の取得方法は、どのような方法でもよい。
【００１８】
制御部１０２は、電子機器１０が備える各部の制御を行う。制御部１０２は、移動指示送信部１０２１と、表示制御部１０２２と、補正量算出部１０２３と、補正量送信部１０２４とを備える。移動指示送信部１０２１は、電子時計２０の指針を所定の基準位置へ移動させる移動指示を、光源１０３を用いて光信号として出力する。基準位置は、予め電子時計２０に設定されている。表示制御部１０２２は、電子時計２０の指針が指示している位置（以下、針位置とする）の入力を受け付ける入力画面を表示部１０４に表示させる。補正量算出部１０２３は、入力画面において入力部１０５が入力を受け付けた針位置と基準位置とに基づいて電子時計２０の針位置を補正するための針位置補正量を算出する。針位置補正量は、指針を針位置から基準位置に向けて移動させるためのステッピングモータ２０７のステップ数である。針位置補正量は、移動させる方向を示す符号付きである。補正量送信部１０２４は、補正量算出部１０２３が算出した針位置補正量を、光源１０３を
用いて光信号として出力する。このように、補正量送信部１０２４から出力される針位置補正量は、電子時計２０の針位置を補正するための情報であり、入力画面において入力部１０５が入力を受け付けた針位置に基づく情報である。よって、針位置補正量には、入力画面において入力部１０５が入力を受け付けた針位置に関する情報自体が相当することがある。
【００１９】
光源１０３は、例えば、電子機器１０が有するフラッシュ用のＬＥＤ（Ｌｉｇｈｔ  Ｅｍｉｔｔｉｎｇ  Ｄｉｏｄｅ）や、液晶ディスプレイ（ＬＣＤ、Ｌｉｑｕｉｄ  Ｃｒｙｓｔａｌ  Ｄｉｓｐｌａｙ）や有機ＥＬ（Ｅｌｅｃｔｒｏ−Ｌｕｍｉｎｅｓｃｅｎｃｅ）ディスプレイのバックライト等である。光源１０３は、データを示す光信号を電子時計２０に対して送信する送信部として動作する。表示部１０４は、液晶ディスプレイや有機ＥＬディスプレイ等であり、情報を表示する。入力部１０５は、スイッチや表示部１０４上に設置されたタッチパネル等を備え、入力を受け付ける。
【００２０】
電子時計２０は、アナログ表示で時刻を表示する時計である。図示する例では、電子時計２０は、太陽電池２０１と、制御回路２０２と、スイッチ２０３と、二次電池２０４と、ダイオード２０５と、基準信号生成回路２０６と、ステッピングモータ２０７と、時計表示部２０８と、記憶部２０９とを備えている。時計表示部２０８は、文字板２０８１と、秒針２０８２と、分針２０８３と、時針２０８４と、日付部２０８５と、日車２０８６とを備えている。電子時計２０は、秒針２０８２と、分針２０８３と、時針２０８４とを連動して駆動する。
【００２１】
太陽電池２０１は、充電期間では、光（太陽、照明など）を受光して電気エネルギーに変換する発電部として動作する。また、太陽電池２０１は、通信期間では、電子機器１０と光通信を行い、電子機器１０からデータを示す光信号を受信する受信部として動作する。充電期間および通信期間については後述する。
【００２２】
制御回路２０２は、電子時計２０が備える各部の制御を行う。また、制御回路２０２は、太陽電池２０１による二次電池２０４への充電制御を行う。また、制御回路２０２は、二次電池２０４の過充電防止制御を行う。また、制御回路２０２は、太陽電池２０１を用いて光通信を行う。例えば、制御回路２０２は、電源端子とＧＮＤ端子に接続された二次電池２０４が出力する電力により作動する。このとき、制御回路２０２は、二次電池２０４の出力電圧を検出することで、二次電池２０４の充電状態（フル充電、過放電など）を判定し、所定の充電制御を行う。例えば、制御回路２０２は、二次電池２０４の充電状態に応じて、制御端子から出力する制御信号によってスイッチ２０３のオン／オフ制御を行う。これにより、制御回路２０２は、太陽電池２０１と二次電池２０４とを接続することで二次電池２０４への充電を行う。また、制御回路２０２は、太陽電池２０１と二次電池２０４とを切断することで、二次電池２０４への過充電を防止する。
【００２３】
また、制御回路２０２は、基準信号生成回路２０６が出力する基準信号に基づいてスイッチ制御信号を出力し、スイッチ２０３のオン／オフ制御を行う。これにより、制御回路２０２は、太陽電池２０１と二次電池２０４の接続と、太陽電池２０１と二次電池２０４の切り離しとを行う。
【００２４】
また、制御回路２０２は、通信期間において、入力端子に入力された太陽電池２０１の出力電圧を検出し、検出した電圧を電気信号に変換することで、外部機器（本実施形態では、電子機器１０）から光通信によって送信されるデータを受信する。制御回路２０２は、移動制御部２０２１と、補正制御部２０２２とを備える。移動制御部２０２１は、移動指示を受信すると、指針を基準位置に向けて移動させる。基準位置は、予め電子時計２０に設定されている。補正制御部２０２２は、針位置補正量を受信すると、受信した針位置補正量に基づいてステッピングモータ２０７を駆動し、針位置を補正する。
【００２５】
スイッチ２０３は、制御回路２０２から入力されるスイッチ制御信号に基づいて、太陽電池２０１と二次電池２０４の接続と、太陽電池２０１と二次電池２０４の切り離しとを行う。二次電池２０４は、電子時計２０が備える各部に電力を供給する。ダイオード２０５は、二次電池２０４に対する電流の逆流を防止する。基準信号生成回路２０６は、発振回路（例えば３２ｋＨｚ）と分周回路からなり、例えば１Ｈｚの基準信号を生成する。
【００２６】
ステッピングモータ２０７は、制御回路２０２から入力されるパルス信号に基づいて、秒針２０８２と分針２０８３と時針２０８４と日車２０８６とを駆動する（回転させる）。時計表示部２０８は、文字板２０８１と、秒針２０８２と、分針２０８３と、時針２０８４と、日付部２０８５と、日車２０８６とを用いて、時刻および日付をアナログ表示で表示する。秒針２０８２と、分針２０８３と、時針２０８４とが時刻を示す指針である。時計表示部２０８は、文字板２０８１と秒針２０８２と分針２０８３と時針２０８４とにより時刻を示し、日付部２０８５と日車２０８６とにより日付を示す。記憶部２０９は、種々の情報を記憶する。例えば、記憶部２０９は、時計表示部２０８が示す日時をカウントする針位置カウンタを記憶する。
【００２７】
次に、電子機器１０と電子時計２０との間の通信方法について説明する。本実施形態では、電子機器１０は光源１０３を用いてデータを送信する。例えば、電子機器１０は、「１」を送信する際には光源１０３を発光させ、「０」を送信する際には光源１０３を消灯させる。また、電子時計２０は、太陽電池２０１を用いてデータを受信する。例えば、電子時計２０の制御回路２０２は、太陽電池２０１が光を受光して電圧を発生した場合には「１」を受信したと判定し、太陽電池２０１が電圧を発生しない場合には「０」を受信したと判定する。
【００２８】
太陽電池２０１と二次電池２０４とが接続している場合、二次電池２０４の出力電圧により、太陽電池２０１が発生した電圧を正確に判定することができない。そこで、本実施形態では、データの受信時には、太陽電池２０１が発生する電圧をより精度良く検出するために、スイッチ２０３を制御し、太陽電池２０１と二次電池２０４とを切り離す。なお、太陽電池２０１と二次電池２０４とを切り離している期間を「通信期間（ＯＦＦ期間）」とする。
【００２９】
また、通信期間以外の期間では、スイッチ２０３を制御し、太陽電池２０１と二次電池２０４とを接続する。太陽電池２０１と二次電池２０４とを接続している期間を「充電期間（ＯＮ期間）」とする。これにより、受信期間においては、より精度良くデータを受信することができる。
【００３０】
また、通信期間では二次電池２０４を充電しないように設定することもできる。そのため、通信期間は短い方が望ましい。従って、本実施形態では、電子時計２０は、通常時には充電期間とし、一定期間毎に短い通信期間を設ける。そして、電子時計２０は、短い通信期間中に電子機器１０から同期信号を受信した場合、針位置補正量データを受信するまで通信期間を継続する。一方、電子時計２０は、通信期間中に電子機器１０から同期信号を受信しない場合、充電期間とする。
【００３１】
上述したように、電子時計２０は、充電期間と、充電期間よりも短い通信期間とを繰り返す。また、短い通信期間中に同期信号を受信した場合、針位置補正量データの受信を完了するまで通信期間とする。これにより、電子時計２０は、充電期間をより長くしつつ、より精度良く光信号を受信することができる。
【００３２】
次に、時刻補正システム１における時刻補正方法について説明する。通常時は、電子機器１０は、時刻データ取得部１０１が取得する現在日時を示す時刻データを電子時計２０に送信する。電子時計２０は、時刻データを受信すると、受信した時刻データ及び針位置カウンタに基づいて、時計表示部２０８が示す日時を補正する。
【００３３】
しかしながら、落下等による衝撃が電子時計２０に加わると、指針の位置が動き、針位置カウンタに対応する針位置と実際の針位置がずれてしまうことがある。そのため、時刻補正システム１では、任意のタイミング（時刻補正とは独立したタイミング）において、ユーザが電子機器１０を操作することにより針位置を修正するモードにモード変換される。モード変換は、ユーザが電子機器１０に搭載される針位置修正用のアプリケーションを起動させることにより電子機器１０の移動指示送信部１０２１が、指針を基準位置へ移動させる移動指示を、光源１０３を用いて光信号として出力する。電子時計２０の移動制御部２０２１は、移動指示を受信すると、通常運針時にカウントされていた針位置カウンタとは異なるモードの針位置カウンタ（ここでは、修正時カウンタと称する）と針位置とが連動するようにモード変換される。次に、ステッピングモータ２０７を駆動して、秒針２０８２と、分針２０８３と、時針２０８４とを基準位置に向けて移動させる。この際、修正時カウンタが基準位置に対応するカウント値に設定される。例えば、秒針２０８２の基準位置は０秒位置であり、分針２０８３の基準位置は現在位置の次の正分位置であり、時針２０８４の基準位置は現在から秒針２０８２及び分針２０８３の移動に応じて進んだ位置である。ここで、基準位置は、時間の経過とともに変動しない固定の値である。このとき、電子時計２０の記憶部２０９が記憶する修正時カウンタに対応する針位置と時計表示部２０８における実際の針位置とにずれが生じていた場合には、指針は修正時カウンタに対応する正しい基準位置まで移動しない。
【００３４】
電子機器１０の表示制御部１０２２は、移動指示送信部１０２１が移動指示を送信した後に、電子時計２０の針位置の入力を受け付ける入力画面を表示部１０４に表示させる。入力部１０５は、入力画面により針位置の入力を受け付ける。ユーザは入力画面に電子時計２０の針位置を入力する。
【００３５】
図２は、本実施形態による電子機器１０の表示部１０４が表示する入力画面の一例を示すイメージ図である。本図に示すように、入力画面には、電子時計２０の針位置の入力を指示するメッセージ「時計が示す針の位置を入力してください」と、秒針２０８２の針位置を入力するテキストボックス３０１とが表示される。ユーザは、テキストボックス３０１に秒針２０８２の針位置（何秒を示しているか）を入力する。
【００３６】
電子機器１０の補正量算出部１０２３は、入力部１０５が入力を受け付けた針位置と予め設定されている基準位置との差分に基づいて針位置補正量を算出する。電子機器１０の補正量送信部１０２４は、補正量算出部１０２３が算出した針位置補正量を、光源１０３を用いて光信号として出力する。電子時計２０の補正制御部２０２２は、針位置補正量を受信すると、受信した針位置補正量に基づいて、ステッピングモータ２０７を駆動して指針を補正する。これにより、指針が修正時カウンタに対応する正しい基準位置へと移動する。その後、針位置が針位置カウンタと連動するように再度モード変換を行うことで、電子時計２０の補正制御部２０２２は、移動制御部２０２１における指針の移動量と計時を停止してからの経過時間とに基づいて指針を移動させた後、計時を再開する。
【００３７】
図３は、本実施形態による電子機器１０が実行する時刻補正処理の処理手順を示したフローチャートである。本図に示す処理は、入力部１０５が上述のモード変換の入力を受け付けた場合に実行される。
【００３８】
（ステップＳ１０１）移動指示送信部１０２１は、光源１０３を制御し、針位置を基準位置へ移動するよう移動指示を送信する。その後、ステップＳ１０２の処理に進む。
【００３９】
（ステップＳ１０２）表示制御部１０２２は、電子時計２０の針位置を入力する入力画面を表示部１０４に表示させる。その後、ステップＳ１０３の処理に進む。
（ステップＳ１０３）補正量算出部１０２３は、表示部１０４に表示された入力画面において入力部１０５が針位置の入力を受け付けたか否かを判定する。針位置の入力を受け付けたと補正量算出部１０２３が判定した場合にはステップＳ１０４の処理に進む。また、針位置の入力を受け付けていないと補正量算出部１０２３が判定した場合にはステップＳ１０３の処理を再度実行する。
【００４０】
（ステップＳ１０４）補正量算出部１０２３は、入力された針位置と基準位置との差分から針位置補正量を算出する。その後、ステップＳ１０５の処理に進む。
（ステップＳ１０５）補正量送信部１０２４は、光源１０３を制御して、補正量算出部１０２３が算出した針位置補正量を送信する。その後、処理を終了する。
【００４１】
図４は、本実施形態による電子時計２０が実行する移動処理の処理手順を示したフローチャートである。本図に示す処理は、通信期間中に実行される。
（ステップＳ２０１）移動制御部２０２１は、太陽電池２０１を介して基準位置への移動指示を受信したか否かを判定する。移動指示を受信したと移動制御部２０２１が判定した場合にはステップＳ２０２の処理に進む。また、移動指示を受信していないと判定した場合にはステップＳ２０１の処理を再度実行する。
【００４２】
（ステップＳ２０２）移動制御部２０２１は、針位置を基準位置に向けて移動させるときの移動目標値として、秒針２０８２を０秒位置に、分針２０８３を現在位置の次の正分位置に、時針２０８４を現在から秒針２０８２と分針２０８３との移動に応じて進んだ位置に、設定する。その後、ステップＳ２０３の処理に進む。
【００４３】
（ステップＳ２０３）移動制御部２０２１は、移動目標値までの指針の移動を開始する。その後、ステップＳ２０４の処理に進む。
（ステップＳ２０４）移動制御部２０２１は、ステッピングモータ２０７を駆動する。その後、ステップＳ２０５の処理に進む。
（ステップＳ２０５）移動制御部２０２１は、針位置を更新する。その後、ステップＳ２０６の処理に進む。
【００４４】
（ステップＳ２０６）移動制御部２０２１は、修正時カウンタと移動目標値とが一致したか否かを判定する。修正時カウンタと移動目標値とが一致したと移動制御部２０２１が判定した場合にはステップＳ２０７の処理に進む。また、修正時カウンタと移動目標値とが一致していないと移動制御部２０２１が判定した場合にはステップＳ２０４の処理に戻る。
（ステップＳ２０７）移動制御部２０２１は、指針の移動を終了する。その後、処理を終了する。
【００４５】
図５は、本実施形態による電子時計２０が実行する時刻補正処理の処理手順を示したフローチャートである。本図に示す処理は、図４に示す移動処理が終了した後に実行される。
【００４６】
（ステップＳ３０１）補正制御部２０２２は、太陽電池２０１を介して針位置補正量を受信したか否かを判定する。針位置補正量を受信したと補正制御部２０２２が判定した場合にはステップＳ３０２の処理に進む。また、針位置補正量を受信していないと補正制御部２０２２が判定した場合にはステップＳ３０１の処理を再実行する。
【００４７】
（ステップＳ３０２）補正制御部２０２２は、受信した針位置補正量を内部の補正量カウンタにセットする。補正量カウンタは、基準位置に対応するカウント値に設定された修正時カウンタに付加されるカウンタ値に相当する。その後、ステップＳ３０３の処理に進む。
（ステップＳ３０３）補正制御部２０２２は、針位置補正量からステッピングモータ２０７の駆動方向を判定する。例えば、補正制御部２０２２は、針位置補正量がプラスである場合には正転であると判定し、針位置補正量がマイナスである場合には逆転であると判定する。その後、ステップＳ３０４の処理に進む。
【００４８】
（ステップＳ３０４）補正制御部２０２２は、針位置の補正駆動を開始する。その後、ステップＳ３０５の処理に進む。
（ステップＳ３０５）補正制御部２０２２は、判定した駆動方向にステッピングモータ２０７を１ステップ駆動する。その後、ステップＳ３０６の処理に進む。
【００４９】
（ステップＳ３０６）補正制御部２０２２は、駆動方向に応じて補正量カウンタを更新する。例えば、補正制御部２０２２は、駆動方向が正転である場合には補正量カウンタから１減算する。また、補正制御部２０２２は、駆動方向が逆転である場合には補正量カウンタに１加算する。その後、ステップＳ３０７の処理に進む。
【００５０】
（ステップＳ３０７）補正制御部２０２２は、補正量カウンタが０となったか否かを判定する。補正量カウンタが０（すなわち、修正時カウンタと針位置とが一致した状態）であると補正制御部２０２２が判定した場合にはステップＳ３０８の処理に進む。また、補正量カウンタが０でないと補正制御部２０２２が判定した場合にはステップＳ３０５の処理に戻る。
（ステップＳ３０８）補正制御部２０２２は、移動を終了する。その後、処理を終了する。ここで、針位置と連動するカウンタを修正時カウンタから針位置カウンタに戻すことによりモード変換され電子時計２０が通常運針に戻る。
【００５１】
なお、本実施形態では、秒針２０８２の基準位置を０秒位置としているが、これに限らず、基準位置は１５秒位置や３０秒位置等、他の位置であってもよい。また、本実施形態では、秒針２０８２と分針２０８３と時針２０８４とが連動して駆動している場合について説明したが、秒針２０８２と分針２０８３と時針２０８４とが独立して駆動している場合には、秒針２０８２のみ移動してもよい（分針２０８３及び時針２０８４は移動しない）。また、本実施形態では、秒飛びの補正を想定しているが、秒針２０８２と分針２０８３と時針２０８４とが独立している場合には、分針２０８３のみ、或は時針２０８４のみ補正してもよい。
【００５２】
上述したとおり、本実施形態では、電子機器１０は、電子時計２０の指針を所定の基準位置へ移動させる移動指示を電子時計２０に送信する移動指示送信部１０２１と、電子時計２０の針位置の入力を受け付ける入力部１０５と、入力部１０５が入力を受け付けた針位置と基準位置とに基づいて電子時計２０の針位置を補正するための針位置補正量を算出する補正量算出部１０２３と、補正量算出部１０２３が算出した針位置補正量を電子時計２０に送信する補正量送信部１０２４とを備える。電子時計２０は、移動指示を受信すると、指針を基準位置に向けて移動させる移動制御部２０２１と、針位置補正量を受信すると、当該受信した針位置補正量に基づいて針位置を補正する補正制御部２０２２とを備える。
【００５３】
これにより、ユーザが電子時計２０を操作することなく、電子時計２０の示す時刻を正しい時刻に、より正確にかつ容易に補正することができる。また、電子機器１０が針位置補正量を算出しているため、電子時計２０の処理負荷を軽減することができる。また、電子時計２０の部品数を増やす必要がない。
【００５４】
また、電子機器１０と電子時計２０とは、上述した光通信方法によりデータを送受信するため、電子機器１０と電子時計２０とを有線で繋ぐためのコネクタや無線通信するためのアンテナを電子機器１０や電子時計２０に搭載する必要がない。すなわち、電子機器１０は光源１０３、電子時計２０は太陽電池２０１といった標準装備で通信が可能であるため、新たなデバイスを搭載して電子機器１０や電子時計２０のデザイン性を損ねることがない。
【００５５】
［第２の実施形態］
次に、本発明の第２の実施形態について説明する。本実施形態における時刻補正システム１の構成は、図１に示す第１の実施形態と同様であるため、その説明を省略する。第１の実施形態では電子時計２０の指針のみを補正しているのに対し、本実施形態では指針に加えて日付部２０８５が示す日付も補正する。
【００５６】
本実施形態による表示制御部１０２２は、電子時計２０の針位置と日付部２０８５が示す日付とを入力する入力画面を表示する。入力部１０５は、入力画面において針位置と日付部２０８５が示す日付（以下、日車位置とする）との入力を受け付ける。補正量算出部１０２３は、針位置補正量に加えて、入力画面において入力された日車位置と基準位置との差分から、日車位置を補正するための日車位置補正量を算出する。補正量送信部１０２４は、補正量算出部１０２３が算出した日車位置補正量と針位置補正量とを、光源１０３を用いて光信号として出力する。電子機器１０の他の構成は、第１の実施形態と同様であるため、その説明を省略する。
【００５７】
移動制御部２０２１は、移動指示を受信すると、ステッピングモータ２０７を駆動して、指針と日車２０８６とを所定の基準位置に向けて移動させる。補正制御部２０２２は、針位置補正量と日車位置補正量とを受信すると、ステッピングモータ２０７を駆動して、針位置補正量に基づいて針位置を補正するとともに、日車位置補正量に基づいて日車位置を補正する。電子時計２０の他の構成は、第１の実施形態と同様であるため、その説明を省略する。
【００５８】
図６は、本実施形態による電子機器１０の表示部１０４が表示する入力画面の一例を示すイメージ図である。本図に示すように、入力画面には、電子時計２０の指針が指示する針位置の入力を指示するメッセージ「時計が示す針の位置を入力してください」と、日車位置を入力するテキストボックス４０１と、時針２０８４の針位置を入力するテキストボックス４０２と、分針２０８３の針位置を入力するテキストボックス４０３と、秒針２０８２の針位置を入力するテキストボックス４０４とが表示される。ユーザは、テキストボックス４０１に日車位置を入力し、テキストボックス４０２に時針２０８４が指示する針位置（何時を示しているか）を入力し、テキストボックス４０３に分針２０８３が指示する針位置（何分を示しているか）を入力し、テキストボックス４０４に秒針２０８２が指示する針位置（何秒を示しているか）を入力する。
【００５９】
次に、本実施形態による時刻補正システム１における時刻補正方法について説明する。図７は、本実施形態による電子機器１０が実行する時刻補正処理の処理手順を示したフローチャートである。本図に示す処理は、上述のモード変換の入力を受け付けた場合に実行される。ステップＳ４０１〜Ｓ４０４までの処理は、上述したステップＳ１０１〜１０４までの処理と同様であるため、その説明を省略する。
【００６０】
（ステップＳ４０５）補正量算出部１０２３は、ステップＳ４０４に続いて、入力された日車位置と基準位置との差分から日車位置補正量を算出する。その後、ステップＳ４０６の処理に進む。
（ステップＳ４０６）補正量送信部１０２４は、光源１０３を制御して、補正量算出部１０２３が算出した針位置補正量及び日車位置補正量を送信する。その後、処理を終了する。
【００６１】
図８は、本実施形態による電子時計２０が実行する移動処理の処理手順を示したフローチャートである。本図に示す処理は、通信期間中に実行される。
（ステップＳ５０１）移動制御部２０２１は、太陽電池２０１を介して基準位置への移動指示を受信したか否かを判定する。移動指示を受信したと移動制御部２０２１が判定した場合にはステップＳ５０２の処理に進む。また、移動指示を受信していないと判定した場合にはステップＳ５０１の処理を再度実行する。
【００６２】
（ステップＳ５０２）移動制御部２０２１は、針位置を基準位置に向けて移動させるときの移動目標値として、秒針２０８２を０秒位置に、分針２０８３を現在位置の０分位置に、時針２０８４を０時位置に、日車２０８６を１日位置に、設定する。その後、ステップＳ５０３の処理に進む。
【００６３】
ステップＳ５０３〜Ｓ５０６までの処理は、上述したステップＳ２０３〜Ｓ２０６までの処理と同様であるため、説明を省略する。
【００６４】
（ステップＳ５０７）移動制御部２０２１は、ステップＳ５０６に続いて、移動目標値までの日車２０８６の移動を開始する。その後、ステップＳ５０８の処理に進む。
（ステップＳ５０８）移動制御部２０２１は、ステッピングモータ２０７を駆動する。その後、ステップＳ２０５の処理に進む。
（ステップＳ５０９）移動制御部２０２１は、日付位置を更新する。その後、ステップＳ５１０の処理に進む。
【００６５】
（ステップＳ５１０）移動制御部２０２１は、修正時カウンタと移動目標値とが一致したか否かを判定する。修正時カウンタと移動目標値とが一致したと移動制御部２０２１が判定した場合にはステップＳ５１１の処理に進む。また、修正時カウンタと移動目標値とが一致していないと移動制御部２０２１が判定した場合にはステップＳ５０８の処理に戻る。
（ステップＳ５１１）移動制御部２０２１は、指針及び日車２０８６の移動を終了する。その後、処理を終了する。
【００６６】
図９は、本実施形態による電子時計２０が実行する時刻補正処理の処理手順を示したフローチャートである。本図に示す処理は、図８に示す移動処理が終了した後に実行される。
【００６７】
（ステップＳ６０１）補正制御部２０２２は、太陽電池２０１を介して針位置補正量及び日車位置補正量を受信したか否かを判定する。針位置補正量及び日車位置補正量を受信したと補正制御部２０２２が判定した場合にはステップＳ６０２の処理に進む。また、針位置補正量及び日車位置補正量を受信していないと補正制御部２０２２が判定した場合にはステップＳ６０１の処理を再実行する。
【００６８】
（ステップＳ６０２）補正制御部２０２２は、受信した針位置補正量を時分秒針補正量カウンタにセットし、受信した日車位置補正量を日車補正量カウンタにセットする。時分秒補正量カウンタ及び日車補正量カウンタは、基準位置に対応するカウント値に設定された修正時カウンタに付加されるカウンタ値に相当する。その後、ステップＳ６０３の処理に進む。
ステップＳ６０３〜Ｓ６０７の処理は、上述したステップＳ３０３〜Ｓ３０７の処理と同様であるため、その説明を省略する。
【００６９】
（ステップＳ６０８）補正制御部２０２２は、ステップＳ６０７に続いて、日車位置補正量からステッピングモータ２０７の駆動方向を判定する。例えば、補正制御部２０２２は、日車位置補正量がプラスである場合には正転であると判定し、日車位置補正量がマイナスである場合には逆転であると判定する。その後、ステップＳ６０９の処理に進む。
【００７０】
（ステップＳ６０９）補正制御部２０２２は、日車位置の補正駆動を開始する。その後、ステップＳ６１０の処理に進む。
（ステップＳ６１０）補正制御部２０２２は、ステッピングモータ２０７を判定した駆動方向に１ステップ駆動する。その後、ステップＳ６１１の処理に進む。
【００７１】
（ステップＳ６１１）補正制御部２０２２は、駆動方向に応じて日車補正量カウンタを更新する。例えば、補正制御部２０２２は、駆動方向が正転である場合には日車補正量カウンタから１減算する。また、補正制御部２０２２は、駆動方向が逆転である場合には日車補正量カウンタに１加算する。その後、ステップＳ６１２の処理に進む。
【００７２】
（ステップＳ６１２）補正制御部２０２２は、日車補正量カウンタが０となったか否かを判定する。日車補正量カウンタが０（すなわち、修正時カウンタと日車位置とが一致した状態）であると補正制御部２０２２が判定した場合にはステップＳ６１３の処理に進む。また、日車補正量カウンタが０でないと補正制御部２０２２が判定した場合にはステップＳ６１０の処理に戻る。
（ステップＳ６１３）補正制御部２０２２は、移動を終了する。その後、処理を終了する。ここで、針位置及び日車位置と連動するカウンタを修正時カウンタから針位置カウンタに戻すことによりモード変換され電子時計２０が通常運針に戻る。
【００７３】
なお、本実施形態では、基準位置を０時０分０秒１日位置としているが、これに限らず、基準位置はどこでもよい。また、本実施形態では、電子時計２０は、指針と日車２０８６とを別々に駆動させているが、同時に駆動させてもよい。
【００７４】
上述したとおり、本実施形態では、電子時計２０の移動制御部２０２１は、移動指示を受信すると、日車位置を所定の基準位置まで移動させる。電子機器１０の入力部１０５は、電子時計２０の日車位置の入力をさらに受け付ける。電子機器１０の補正量算出部１０２３は、入力部１０５に入力された日付と基準位置とに基づいて日車位置補正量をさらに算出する。電子機器１０の補正量送信部１０２４は、補正量算出部１０２３が算出した針位置補正量と日車位置補正量とを送信する。電子時計２０の補正制御部２０２２は、針位置補正量と日車位置補正量とを受信すると、受信した針位置補正量に基づいて針位置を補正するとともに、受信した日車位置補正量に基づいて日車位置を補正する。
【００７５】
これにより、本実施形態では、第１の実施形態の効果に加えて、ユーザが電子時計２０を操作することなく、日車位置をより正確にかつ容易に補正することができる。
【００７６】
［第３の実施形態］
次に、本発明の第３の実施形態について説明する。本実施形態における時刻補正システム１の構成は、図１に示す第１の実施形態と同様である。本実施形態と第１の実施形態とは、電子機器１０における電子時計２０の針位置の入力方法が異なる。
【００７７】
本実施形態における電子機器１０の表示制御部１０２２は、電子時計２０の時計表示部２０８の画像を表示部１０４に表示させる。入力部１０５は、表示部１０４に表示された時計表示部２０８の画像において針位置の入力を受け付ける。時刻補正システム１における他の構成は、第１の実施形態と同様であるため、その説明を省略する。
【００７８】
図１０は、本実施形態による電子機器１０の表示部１０４が表示する入力画面の一例を示すイメージ図である。本図に示すように、入力画面には、電子時計２０の時計表示部２０８の画像が表示されている。当該画像には、時計表示部２０８の文字板２０８１と秒針２０８２とが表示されている。秒針２０８２は、タッチパネル入力によりその針位置を移動させることができる。ユーザは、表示部１０４に表示された秒針２０８２を動かすことにより、秒針２０８２の針位置を入力する。
【００７９】
上述したとおり、本実施形態では、電子機器１０の表示制御部１０２２は、電子時計２０の時計表示部２０８の画像を表示部１０４に表示させる。入力部１０５は、表示部１０４に表示された時計表示部２０８の画像において針位置の入力を受け付ける。これにより、本実施形態によれば、第１の実施形態の効果に加えて、電子機器１０においてより容易に針位置の入力をすることができる。
【００８０】
［第４の実施形態］
次に、本発明の第４の実施形態について説明する。本実施形態における時刻補正システム１の構成は、図１に示す第１の実施形態と同様である。本実施形態は、第２の実施形態に対して、電子機器１０における針位置及び日車位置の入力方法が異なる。
【００８１】
電子時計２０において、日車２０８６が独立で駆動する場合を考えると、日車位置が日として認識できる位置にあるとは限らず、例えば、４日と５日の中間辺りを表示している場合がある。この場合には、第２の実施形態における時刻補正システム１では、日車位置を入力することが困難である。さらに、時針２０８４と分針２０８３と秒針２０８２とが独立駆動の場合にも、各指針が時刻として読めない位置になることも有り、針位置を入力することが困難である。そのため、本実施形態による電子機器１０は、電子時計２０の時計表示部２０８の画像を表示し、表示した画像において針位置及び日車位置の入力を受け付ける。
【００８２】
本実施形態における電子機器１０の表示制御部１０２２は、電子時計２０の時計表示部２０８の画像を表示部１０４に表示させる。入力部１０５は、表示部１０４に表示された時計表示部２０８の画像において針位置及び日車位置の入力を受け付ける。時刻補正システム１における他の構成は、第２の実施形態と同様であるため、その説明を省略する。
【００８３】
図１１は、本実施形態による電子機器１０の表示部１０４が表示する入力画面の一例を示すイメージ図である。本図に示すように、入力画面には、電子時計２０の時計表示部２０８の画像と選択ボタン５０１とが表示されている。時計表示部２０８の画像には、文字板２０８１と秒針２０８２と分針２０８３と時針２０８４と日付部２０８５と日車２０８６とが表示されている。秒針２０８２と分針２０８３と時針２０８４とは、タッチパネル入力によりその針位置を移動させることができる。日車２０８６には１〜３１までの数字が記載されており、回転可能である。タッチパネル入力により日車２０８６を回転させることで、日車位置を変更することができる。
【００８４】
選択ボタン５０１は、動かす指針又は日車２０８６を選択するボタンである。入力部１０５は、選択ボタン５０１により選択された指針又は日車２０８６の位置の入力を受け付ける。ユーザは、選択ボタン５０１から動かす指針又は日車２０８６を選択し、選択した指針または日車２０８６を動かす。例えば、ユーザは、選択ボタン５０１から「日車」を選択した後に、日車２０８６を回転させて日車位置を入力する。また、ユーザは、選択ボタン５０１から「時針」を選択した後に、時針２０８４を回転させて時針２０８４の針位置を入力する。また、ユーザは、選択ボタン５０１から「分針」を選択した後に、分針２０８３を回転させて分針２０８３の針位置を入力する。また、ユーザは、選択ボタン５０１から「秒針」を選択した後に、秒針２０８２を回転させて秒針２０８２の針位置を入力する。
【００８５】
次に、電子機器１０の補正量算出部１０２３における日車位置補正量の算出方法について説明する。図１２は、本実施形態による電子機器１０の補正量算出部１０２３における日車位置補正量算出方法を説明するための図である。本例では、日車位置の基準位置が「１」日であり（図１２（Ａ））、入力画面において入力された日車位置が「４」日と「５」日の間である（図１２（Ｂ））場合について説明する。
【００８６】
まず、補正量算出部１０２３は、基準位置の角度を０°とする。続いて、補正量算出部１０２３は、基準位置から日車位置に回転させた角度θを算出する。このとき、補正量算出部１０２３は、時計回りを正とする。本図に示す例では、日車位置は、基準位置から時計回りにθ＝４２°回転させた位置にある。続いて、補正量算出部１０２３は、日車位置補正量を「−θ×（３１×１日分のステップ数）／３６０」で算出する。例えば、１日分の日付を送るために必要なステップ数が１２０ステップである場合には（日車１周につき３７２０ステップ）、日車位置補正量＝−４２×（３１×１２０）／３６０＝−４３４である。そのため、本例では、電子時計２０の補正制御部２０２２は、ステッピングモータ２０７を４３４ステップ逆転方向（日が戻る方向）に駆動させて日車位置を補正する。
【００８７】
上述したとおり、本実施形態では、電子機器１０の表示制御部１０２２は、電子時計２０の時計表示部２０８の画像を表示部１０４に表示させる。入力部１０５は、表示部１０４に表示された時計表示部２０８の画像において針位置及び日車位置の入力を受け付ける。これにより、本実施形態によれば、第１の実施形態の効果に加えて、電子機器１０においてより容易に針位置及び日車位置の入力をすることができる。
【００８８】
また、日車位置が日として認識できない位置にある場合であっても、電子機器１０においてその日車位置を正確に入力することができる。また、各指針が時刻として読めない位置にある場合であっても、電子機器１０においてその針位置を正確に入力することができる。これにより、より精度良く電子時計２０の針位置及び日車位置を補正することができる。
【００８９】
なお、上述した実施形態における電子機器１０または電子時計２０が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００９０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００９１】
以上、本発明の実施形態について説明したが、本発明は、上記実施形態に限定されるものではなく、本発明の趣旨を逸脱しない範囲において種々の変更を加えることが可能である。
【００９２】
例えば、上述した実施形態では、電子機器１０と電子時計２０とは光通信しているが、これに限らず、ＩｒＤＡ（Ｉｎｆｒａｒｅｄ  Ｄａｔａ  Ａｓｓｏｃｉａｔｉｏｎ）やＢｌｕｅｔｏｏｔｈ（登録商標）、ＮＦＣ（Ｎｅａｒ  Ｆｉｅｌｄ  Ｃｏｍｍｕｎｉｃａｔｉｏｎ）等の他の無線通信或いは有線通信であってもよい。
【００９３】
また、例えば、上述した実施形態では、電子時計２０は、充電期間と光通信を行う通信期間とを切り替えているが、これに限らず、充電期間と光通信を行う通信期間とを分けずに、充電と光通信とを同時に行うようにしてもよい。
【００９４】
また、上述した実施形態では、電子機器１０から電子時計２０に基準位置への移動指示を送信しているが、これに限らず、ボタン操作により基準位置への移動指示を電子時計２０に入力してもよい。
【００９５】
また、上述した実施形態では、電子時計２０に予め基準位置が設定されているが、これに限らず、例えば、電子機器１０が移動指示に基準位置を付加して送信してもよい。
【００９６】
また、上述した第３の実施形態又は第４の実施形態では、電子機器１０は、タッチパネル入力により針位置及び日車位置を入力しているが、これに限らず、例えば、キーボードやマウス等の他の入力手段により針位置及び日車位置を入力してもよい。
【００９７】
また、上述した実施形態では、電子時計２０は、充電期間と光通信を行う通信期間とを所定の周期で繰り返しているが、これに限らず、二次電池２０４の充電状態に応じて、スイッチ２０３を制御して充電期間と通信期間とを切り替えてもよい。或いは、電子時計２０は、通信期間では、まず、低通信レートで同期信号を検出し、同期信号検出後、高通信レート（例えば低速通信レートの４倍）に切り替えて、スタート信号とデータ信号とを受信してもよい。これにより、電子機器１０及び電子時計２０の消費電力を低減することができる。
【符号の説明】
【００９８】
１・・・時刻補正システム、１０・・・電子機器、２０・・・電子時計、１０１・・・時刻データ取得部、１０２・・・制御部、１０３・・・光源、１０４・・・表示部、１０５・・・入力部、２０１・・・太陽電池、２０２・・・制御回路、２０３・・・スイッチ、２０４・・・二次電池、２０５・・・ダイオード、２０６・・・基準信号生成回路、２０７・・・ステッピングモータ、２０８・・・時計表示部、２０９・・・記憶部、１０２１・・・移動指示送信部、１０２２・・・表示制御部、１０２３・・・補正量算出部、１０２４・・・補正量送信部、２０２１・・・移動制御部、２０２２・・・補正制御部、２０８１・・・文字板、２０８２・・・秒針、２０８３・・・分針、２０８４・・・時針、２０８５・・・日付部、２０８６・・・日車
【図１】
0006342766.tif 000002
【図２】
0006342766.tif 000003
【図３】
0006342766.tif 000004
【図４】
0006342766.tif 000005
【図５】
0006342766.tif 000006
【図６】
0006342766.tif 000007
【図７】
0006342766.tif 000008
【図８】
0006342766.tif 000009
【図９】
0006342766.tif 000010
【図１０】
0006342766.tif 000011
【図１１】
0006342766.tif 000012
【図１２】
0006342766.tif 000013